(57)【要約】【課題】油分の捕集効率を高く保ちつつ、清掃性の向上を図ることができるレンジフード用フィルタ装置を提供すること。【解決手段】レンジフード本体１に開口する吸気口に上下方向に所定の間隔を設けて配置される上下２枚の上部プレート５Ａと下部プレート５Ｂを含んでレンジフード用フィルタ装置５を構成し、前記下部プレート５Ｂの下方に整流板６を配置するとともに、前記上部プレート５Ａには複数の開口７を形成し、前記下部プレート５Ｂにはその少なくとも１つも端縁に開口する複数の切欠き孔８を形成し、前記開口７と前記切欠き孔８を互い違いに配するとともに、前記上部プレート５Ａの開口７間の壁の幅を前記下部プレート５Ｂの切欠き孔８の幅以上に設定し、前記下部プレート５Ｂの切欠き孔８間の壁の幅を前記上部プレート５Ａの開口７の幅以上に設定する。【選択図】図５
2010236801.tif 000002
【特許請求の範囲】
【請求項１】
レンジフードに開口する吸気口に上下方向に所定の間隔を設けて配置される上下２枚の上部プレートと下部プレートを含んで構成されるレンジフード用フィルタ装置であって、
前記下部プレートの下方に整流板を配置するとともに、前記上部プレートには複数の開口を形成し、前記下部プレートにはその少なくとも１つの端縁に開口する複数の切欠き孔を形成し、前記開口と前記切欠き孔を互い違いに配するとともに、前記上部プレートの開口間の壁の幅を前記下部プレートの切欠き孔の幅以上に設定し、前記下部プレートの切欠き孔間の壁の幅を前記上部プレートの開口の幅以上に設定したことを特徴とするレンジフード用フィルタ装置。
【請求項２】
前記下部プレートを前記レンジフードに着脱可能に取り付けたことを特徴とする請求項１記載のレンジフード用フィルタ装置。
【請求項３】
前記上部プレートと前記下部プレートを水平面に対して傾斜させ、下部プレートの最下部縁に沿って油受けを着脱可能に設けたことを特徴とする請求項１又は２記載のレンジフード用フィルタ装置。
【発明の詳細な説明】
【技術分野】
【０００１】
本発明は、主に調理によって発生する油煙から油分を捕獲して回収するためのレンジフード用フィルタ装置に関するものである。
【背景技術】
【０００２】
キッチンに設けられるレンジフードは、調理によって発生する湯気や油煙等をファンによって屋外へと排出するものであるが、このレンジフードには主に油煙に含まれる油分を捕獲して回収するためのフィルタが設けられている。
【０００３】
斯かるフィルタとしては、従来からラス網や金網或いはパンチングメタル等が用いられているが、ラス網や金網は目が細かいために清掃性が悪く、特に内部に浸透した油や埃を除去しにくいという問題があり、パンチングメタルはラス網や金網に比して清掃性は幾分良い反面、油分の捕集効率が悪く、フィルタ本来の機能を十分発揮することができないという問題がある。
【０００４】
そこで、特許文献１には、所定形状の２〜５ｍｍのピッチでスリットを縦方向に縦設して成る列を複数形成し、各列におけるスリット相互で区画された舌片全体を一方向に屈折傾斜させてスリット相互間に平面部分を残すことなく縦幅が１〜３ｍｍの通気口を設けて成るフィルタ単体を形成し、このフィルタ単体又は複数枚を組み合わせてレンジフード用フィルタを構成する提案がなされている。
【０００５】
又、特許文献２には、通気孔を所定間隔で設けた薄板２枚を一定の間隔を設け且つ一方の薄板の通気孔が他方の薄板の壁に面するよう対向させて構成されるレンジフード用フィルタが提案されている。
【先行技術文献】
【特許文献】
【０００６】
【特許文献１】実公平２−０４３４５６号公報
【特許文献２】実開昭５８−０８７０２６号公報
【発明の概要】
【発明が解決しようとする課題】
【０００７】
特許文献１において提案されたレンジフード用フィルタは、ラス網や金網を用いた従来のフィルタよりは洗い易いが、通気口の開口幅が１〜３ｍｍと小さいために目詰まりを起こし易く、又、２〜５ｍｍピッチで多数の通気口が開いているために全ての通気口を洗って清掃することは非常に面倒で多くの時間を要するという問題がある。フィルタに目詰まりが発生すると風路が塞がれてしまい、換気風量が不足して換気不良の原因となるため、フィルタを頻繁に清掃して詰まった油や埃を除去する必要がある。
【０００８】
又、特許文献２において提案されたレンジフード用フィルタは、比較的大きな通気孔が形成されているためにラス網や金網を用いた従来のフィルタよりも清掃性は高いが、通気孔は開口部周縁がクローズされた孔であるため、その周縁部に付着した油や埃を除去しづらく、必ずしも清掃性は高くはないという問題がある。通気孔の周縁に付着した油や埃はタワシや歯ブラシ等で擦らなければ除去しづらく、清掃作業が大変であるばかりか、フィルタ表面が傷付いたり、塗装が剥れる等の問題が発生する。
【０００９】
本発明は上記問題に鑑みてなされたもので、その目的とする処は、油分の捕集効果を高く保ちつつ、清掃性の向上を図ることができるレンジフード用フィルタ装置を提供することにある。
【課題を解決するための手段】
【００１０】
上記目的を達成するため、請求項１記載の発明は、レンジフードに開口する吸気口に上下方向に所定の間隔を設けて配置される上下２枚の上部プレートと下部プレートを含んでレンジフード用フィルタ装置を構成し、前記下部プレートの下方に整流板を配置するとともに、前記上部プレートには複数の開口を形成し、前記下部プレートにはその少なくとも１つの端縁に開口する複数の切欠き孔を形成し、前記開口と前記切欠き孔を互い違いに配するとともに、前記上部プレートの開口間の壁の幅を前記下部プレートの切欠き孔の幅以上に設定し、前記下部プレートの切欠き孔間の壁の幅を前記上部プレートの開口の幅以上に設定したことを特徴とする。
【００１１】
請求項２記載の発明は、請求項１記載の発明において、前記下部プレートを前記レンジフードに着脱可能に取り付けたことを特徴とする。
【００１２】
請求項３記載の発明は、請求項１又は２記載の発明において、前記上部プレートと前記下部プレートを水平面に対して傾斜させ、下部プレートの最下部縁に沿って油受けを着脱可能に設けたことを特徴とする。
【発明の効果】
【００１３】
請求項１記載の発明によれば、下部プレートの下方に配置される整流板と、上下方向に所定の間隔を設けて配置される上下２枚の上部プレートと下部プレートによってフィルタ装置を構成するとともに、上部プレートに形成された開口と下部プレートに形成された切欠き孔を互い違いに配置し、上部プレートの開口間の壁の幅を下部プレートの切欠き孔の幅以上に設定し、下部プレートの切欠き孔間の壁の幅を上部プレートの開口の幅以上に設定したため、下部プレートの切欠き孔から吸引された油煙は、その上の上部プレートに形成された開口をそのまま通過することなく、上部プレートと下部プレートの間の空間及び下部プレートと整流板の間の空間で衝突によって乱流を発生する。この乱流と、狭い空間を油煙が急速に通過しようとすることによる空間の内圧上昇の影響によって、油煙に含まれる油の粒子が衝突等により大粒化して油煙から油分が除去され易くなる。この効果によってフィルタ装置には高い油分の捕集効率が確保される。
【００１４】
又、下部プレートに形成された切欠き孔は、開口部周縁がクローズされた孔ではなく、下部プレートの少なくとも１つの端縁に開口するため、その周縁に付着した油や埃等はタワシや歯ブラシ等によって擦らなくても、単に拭き取るだけで容易に除去される。このため、フィルタ装置の清掃性が高められるとともに、清掃による傷付きや塗装の剥れ等の不具合の発生を防ぐことができる。
【００１５】
請求項２記載の発明によれば、下部プレートをレンジフードに着脱可能に取り付けたため、清掃時には下部プレートを取り外し、これに付着した油や埃等を作業性良く容易に除去することができる。
【００１６】
請求項３記載の発明によれば、上部プレートと下部プレートを水平面に対して傾斜させたため、これに付着した油を両プレートの傾斜に沿って流すことができ、下部プレートの最下部縁に沿って着脱可能に設けられた油受けに油を流し込んで回収することができる。そして、油受けに溜った油は油受けを取り外すことによって容易に廃棄することができる。
【図面の簡単な説明】
【００１７】
【図１】レンジフードの斜視図である。
【図２】レンジフードの分解斜視図である。
【図３】レンジフードを下方から見た底面図である。
【図４】図３のＡ−Ａ線断面図である。
【図５】Ｂ−Ｂ線断面図である。
【図６】図５のＣ部拡大詳細図である。
【図７】整流板を取り外してレンジフードを下方から見た底面図である。
【図８】内面パネルの斜視図である。
【図９】内面パネルと本発明に係るフィルタ装置の上部プレートの平面図である。
【図１０】内面カバーと本発明に係るフィルタ装置の上部プレートの斜視図である。
【図１１】本発明に係るフィルタ装置の下部プレートの斜視図である。
【図１２】整流板の斜視図である。
【図１３】油の流れ経路を示すフィルタ装置の断面斜視図である。
【図１４】油の流れ経路を示すフィルタ装置の下部プレートの底面図である。
【発明を実施するための形態】
【００１８】
以下に本発明の実施の形態を添付図面に基づいて説明する。
【００１９】
図１は本発明に係るフィルタ装置を備えたレンジフードの斜視図、図２は同レンジフードの分解斜視図、図３は同レンジフードを下方から見た底面図、図４は図３のＡ−Ａ線断面図、図５は図３のＢ−Ｂ線断面図、図６は図５のＣ部拡大詳細図、図７は整流板を取り外してレンジフードを下方から見た底面図、図８は内面パネルの斜視図、図９は内面パネルとフィルタ装置の上部プレートの平面図、図１０は同内面パネルと上部プレートの斜視図、図１１はフィルタ装置の下部プレートの斜視図、図１２は整流板の斜視図、図１３は油の流れ経路を示すフィルタ装置の断面斜視図、図１４は油の流れ経路を示す下部プレートの底面図である。
【００２０】
図１に示すレンジフード１は、不図示のキッチンのガスコンロや電気コンロの上方に設置されるものであって、調理時に発生する湯気や油煙等を不図示のファンによって捕集して屋外へと排出するものである。ここで、このレンジフード１は、下方が開口する矩形のレンジフード本体１Ａの上部に不図示のファンとこれを駆動する不図示のモータから成るファンユニット２（図５参照）を設置して構成されており、ファンユニット２は化粧板１Ｂによって前面と左右の側面が覆われて見えないように隠されている。尚、レンジフード本体１Ａの前面側部には、ファンや照明をＯＮ／ＯＦＦ操作するための操作部３が設けられている。
【００２１】
而して、レンジフード本体１Ａの下面に開口する矩形の吸気口１ａは、図２及び図８に示す内面パネル４によって覆われており（図３〜図５参照）、この内面パネル４の中央部に形成された矩形の開口部４ａには本発明に係るフィルタ装置５が設置され、このフィルタ装置５は後述の下部プレート５Ｂの下方に上下方向に適当な間隔を設けて配置された整流板６を含んで構成されている（図４及び図５参照）。
【００２２】
ここで、上記内面パネル４は、図８に示すように、板金のプレス成形によって上方に向かって膨出する矩形の逆トレイ状に成形されており、その上面は水平面に対して手前から奥側に向かって下がるよう若干傾斜し、その中央部には矩形の前記開口部４ａが形成されている。そして、内面パネル４の周縁はフランジ４ｂによって縁取られており、図４及び図５に示すように、内面パネル４は、その周縁のフランジ４ｂをレンジフード本体１Ａの吸気口１ａの周縁に形成されたフランジ１ｂに重ねて固定することによってレンジフード本体１Ａに取り付けられている。
【００２３】
又、本発明に係るフィルタ装置５は、主には油煙に含まれる油分を捕獲して回収するためのものであって、図４〜図６に示すように、前記内面パネル４に形成された開口部４ａに上下方向に所定の間隔を設けて配置される上下２枚の上部プレート５Ａと下部プレート５Ｂ及び前記整流板６によって構成されている。
【００２４】
ここで、上記上部プレート５Ａは、図９及び図１０に示すように、板金のプレス成形によって矩形の逆トレイ状に成形されており、その中央部には上方に向かって立ち上がる矩形の膨出部５ａが形成されている。そして、この膨出部５ａには前後方向に長い計５つの矩形状の開口７が適当な間隔で左右方向に並んで形成されている。
【００２５】
而して、上部プレート５Ａは、その周縁が上方に折り返されており、この周縁を前記内面パネル４の開口部４ａに嵌め込むことによって、該上部プレート５Ａが内面パネル４の開口部４ａに着脱可能に取り付けられている。
【００２６】
他方、前記下部プレート５Ｂは、図１１に示すように、板金のプレス成形によって矩形の櫛歯状に成形されており、これには相対向する前後の端縁（長辺）にそれぞれ開口する各４つの切欠き孔８が前後に２列、計８つ形成されている。ここで、各列の４つの切欠き孔８は適当な間隔を設けて左右方向に形成されており、下部プレート５Ｂには下方に突出するビード９（図６参照）が各切欠き孔８の周囲に沿って形成されており、このビード９によって下部プレート５Ｂの強度と剛性が高められている。尚、この下部プレート５Ｂの手前側の幅方向中央には、当該下部プレート５Ｂを着脱する際に把持されるつまみ１０が取り付けられており、該下部プレート５Ｂの奥側の端縁は図１３に示すように前記内面パネル４の開口部４ａの周縁の一部に形成された係合部４ｃに上方から重ねられて保持されている。
【００２７】
而して、下部プレート５Ｂは、図７に示すように、その奥側の端縁が内面パネル４の開口部４ａの奥側に幅方向に沿って形成された係合部４ｃに上から重ねられ、手前の幅方向中央が内面パネル４に前後方向にスライド可能に設けられたクランプ１１で係止されることによって、内面パネル４に対して着脱可能に取り付けられている。
【００２８】
ところで、上部プレート５Ａと下部プレート５Ｂ及び整流板６によって構成されるフィルタ装置５が内面パネル４に上下方向に所定の間隔を設けて取り付けられた状態では、図６に示すように、これらに形成された開口７と切欠き孔８とが平面視で互いにオーバーラップしないよう、その位置と幅寸法が設定されている。即ち、上部プレート５Ａに形成された開口７と下部プレート５Ｂに形成された切欠き孔８とは左右方向に互い違いに配置されるとともに、下部プレート５Ｂの切欠き孔８間の壁の幅Ｂ１はこれに対向する上部プレート５Ａの開口７の幅ｂ１以上に設定され（Ｂ１≧ｂ１）、上部プレート５Ａの開口７間の壁の幅Ｂ２はこれに対向する下部プレート５Ｂの切欠き孔８の幅ｂ２以上に設定されている（Ｂ２≧ｂ２）。
【００２９】
又、図４に示すように、上部プレート５Ａと下部プレート５Ｂは水平面に対して奥側に向かって下がるよう傾斜して取り付けられており、下部プレート５Ｂの最下部である奥側端縁に沿って細長い容器状の油受け１２が内面パネル４に着脱可能に取り付けられている。ここで、図１３に示すように、内面パネル４には、油受け１２に開口する排油口４ｄが形成されている。
【００３０】
以上のように構成されたフィルタ装置５の下部プレート５Ｂの下方にこれとの間に上下方向の間隔を設けて略水平に設置される前記整流板６は、図１２に示すように、板金によって矩形プレート状に成形されており、その周縁は垂直上方に折り曲げられている。そして、この整流板６の奥側端縁の左右にはヒンジ１３が取り付けられ、左右の両側端の手前側にはチャンネル状のフック１４が相対向して取り付けられており、各フック１４には係合孔１４ａがそれぞれ形成されている。尚、内面パネル４のフック１４に対応する２箇所には係合金具１５が取り付けられており、各係合金具１５には各フック１４の係合孔１４ａに選択的に係合可能な係合ピン１６が左右方向にスライド可能に設けられている。
【００３１】
而して、整流板６は、図３及び図４に示すように、その奥側端部が左右一対のヒンジ１３によって内面パネル４に上下に回動可能に支持されており、その手前側の両側部に設けられた左右一対のフック１４の係合孔１４ａ（図１２参照）に内面パネル４側に設けられた左右一対の係合金具１５の係合ピン１６（図１２参照）が係合することによってフィルタ装置５の下方に略水平に設置されている。尚、係合ピン１６を横方向にスライドさせてフック１４の係合孔１４ａとの係合を解除すると、整流板６は奥側のヒンジ１３を中心として下方に回動して開き、図７に示すようにフィルタ装置５の下部プレート５Ｂが露出するため、清掃等に際して下部プレート５Ｂや上部プレート５Ａを着脱することができ、或いは下部プレート５Ｂだけを取り外し、内面パネル４に取り付いたままの上部プレート５Ａの下面に付着した油や埃を拭き取ることができる。
【００３２】
以上のように構成されたレンジフード１において、ファンユニット２（図５参照）のファンを回転駆動すれば、調理中に発生した例えば油煙は図６に示すように整流板６の周囲の隙間からレンジフード本体１Ａ内に吸引されるが、整流板６を通過する際に油煙は絞られてその流速が増しながらフィルタ装置５へと導入される。ここで、フィルタ装置５は、上下方向に所定の間隔を設けて配置された上下２枚の上部プレート５Ａと下部プレート５Ｂを備えており、上部プレート５Ａに形成された開口７と下部プレート５Ｂに形成された切欠き孔８はこれらが平面視で互いにオーバーラップしないよう配置されているため、下部プレート５Ｂの切欠き孔８から吸引され油煙は、その上の上部プレート５Ａに形成された開口７をそのまま通過することなく、図６に矢印にて示すように、上部プレート５Ａと下部プレート５Ｂの間の空間及び下部プレート５Ｂと整流板６の間の空間で衝突によって乱流を発生する。この乱流と、狭い空間を油煙が急速に通過しようとすることによる空間の内圧上昇の影響によって、油煙に含まれる油の粒子が衝突等により大粒化して油煙から油分が除去され易くなる。この効果によってフィルタ装置５には高い油分の捕集効率が確保される。
【００３３】
又、下部プレート５Ｂに形成された切欠き孔８は、開口部周縁がクローズされた孔ではなく、下部プレート５Ｂの手前側と奥側の端縁にそれぞれ開口しているため、その周縁に付着した油や埃等はタワシや歯ブラシ等によって擦らなくても、単に拭き取るだけで容易に除去される。このため、フィルタ装置５の清掃性が高められるとともに、清掃による傷付きや塗装の剥れ等の不具合の発生が防がれる。そして、本実施の形態では、下部プレート５Ｂを内面パネル４に着脱可能に取り付けたため、清掃時には前述のように整流板６を開いて下部プレート５Ｂを取り外し、これに付着した油や埃等を作業性良く容易に除去することができる。尚、下部プレート５Ｂは、クランプ１１（図７参照）による内面パネル４への係止を解除した後にこれを手前側に引き抜くことによって内面パネル４から容易に取り外すことができる。
【００３４】
更に、本実施の形態では、上部プレート５Ａと下部プレート５Ｂを水平面に対して奥側に向かって下がるよう傾斜させたため、これらに付着した油を重力で該上部プレート５Ａと下部プレート５Ｂの傾斜に沿って奥側へと流すことができ、下部プレート５Ｂの最下部縁に沿って着脱可能に設けられた油受け１２に油を流し込んで回収することができる。具体的には、図１３に示すように、上部プレート５Ａの下面に付着した油は、上部プレート５Ａの傾斜に沿って奥側（図１３の右側）へと流れて下部プレート５Ｂ上に落下する。又、下部プレート５Ｂの下面に付着して油は、図１４に矢印にて示すように、手前側の切欠き孔８とビード９の裾に沿って奥側（図１４の右側）へと流れて合流した後、奥側の切欠き孔８とビード９の裾に沿って奥側へと流れ、上部プレート５Ａから落下した油と共に内面パネル４上へと流れ、図１３に示すように、最終的に排油口４ｄから油受け１２へと落下して該油受け１２によって回収される。そして、油受け１２に溜った油は油受け１２を取り外すことによって容易に廃棄することができる。この場合、下部プレート５Ｂに形成されたビード９が下部プレート５Ｂの下面に凸状に突出するため、該下部プレート５Ｂの下面への油煙の衝突による油の捕集が効率的になされるとともに、ビード９は下部プレート５Ｂの上面では凹状を成すため、油の流れ方向が該ビード９によって制御され、捕集された油が効率的に油受け１２に導かれて回収される。
【００３５】
尚、フィルタ装置５を構成する上部プレート５Ａに形成される開口７と下部プレート５Ｂに形成される切欠き孔８の形状と数は以上説明した実施の形態において示したものに限定されず、これらを任意に設定しても構わない。
【符号の説明】
【００３６】
１        レンジフード
１Ａ      レンジフード本体
１Ｂ      レンジフードの化粧板
１ａ      レンジフード本体の吸気口
１ｂ      レンジフード本体のフランジ
２        ファンユニット
３        操作部
４        内面パネル
４ａ      内面パネルの開口部
４ｂ      内面パネルのフランジ
４ｃ      内面パネルの係合部
４ｄ      内面パネルの排油口
５        フィルタ装置
５Ａ      フィルタ装置の上部プレート
５Ｂ      フィルタ装置の下部プレート
５ａ      上部プレートの膨出部
５ｂ      下部プレートの切欠き孔間の壁
５ｃ      上部プレートの開口間の壁
６        整流板
７        上部プレートの開口
８        下部プレートの切欠き孔
９        下部プレートのビード
１０      つまみ
１１      クランプ
１２      油受け
１３      ヒンジ
１４      フック
１４ａ    フックの係合孔
１５      係合金具
１６      係合ピン
Ｂ１      下部プレートの切欠き孔間の壁の幅
Ｂ２      上部プレートの開口間の壁の幅
ｂ１      開口の幅
ｂ２      切欠き孔の幅
【図１】
2010236801.tif 000003
【図２】
2010236801.tif 000004
【図３】
2010236801.tif 000005
【図４】
2010236801.tif 000006
【図５】
2010236801.tif 000007
【図６】
2010236801.tif 000008
【図７】
2010236801.tif 000009
【図８】
2010236801.tif 000010
【図９】
2010236801.tif 000011
【図１０】
2010236801.tif 000012
【図１１】
2010236801.tif 000013
【図１２】
2010236801.tif 000014
【図１３】
2010236801.tif 000015
【図１４】
2010236801.tif 000016